(57)【特許請求の範囲】
【請求項１】
二個の被梱包物の両端部に取付けられ当該被梱包物を保持する梱包装置において、
前記梱包装置は、
中央に嵌合孔を有する底板部と当該底板部の両側から左右に連続してそれぞれ形成した側板部と天板部と端部に前記底板部に穿設した嵌合孔に嵌入する嵌合凸部および下方隅部に切り込み形成された切込み部を有する仕切板部とを備えた一枚のプラスチック段ボールからなる梱包装置主部の前記側板部と天板部と仕切板部とをそれぞれ折曲げて略コ字状に形成するとともに当該仕切板部同士を背中合せにし、前記背中合せにした仕切板部の嵌合凸部を前記底板部に穿設した嵌合孔に嵌入して四角筒体を幅方向左右に形成した梱包装置本体と、
前記梱包装置主部に設けられた切込み部側の前記底板部端部から長手方向に一体に連続形成された外方板部、上板部、内方板部、および接合板部を有する受け部主部を、内側に四角形状に折曲げて前記接合板部が前記底板部に載置されるように前記切込み部に挿入するとともに、前記四角形状に折曲げられた前記受け部主部の内側上部隅部両側に前記被梱包物の下方端部を支える設置凹部をそれぞれ設けた受け部とからなることを特徴とする梱包装置。
【発明の詳細な説明】
【０００１】
【発明の属する技術分野】
本発明は、被梱包物の長手方向両端部を保持する梱包装置に関する。
【０００２】
【従来の技術】
従来の梱包装置について、図１１から図１３を参照して説明する。
【０００３】
梱包装置は、一枚のプラスチック段ボールからなる梱包装置主部５と、この梱包装置主部５上に貼り付けられ図１３に示すように照明器具３の下方端部を支える設置凹部を有する受け部とから構成している。
【０００４】
前記梱包装置主部５は、横長状の端板部６と、この端板部６の両側から折り筋１１を介してそれぞれ形成した一対の側板部７，７と、前記端板部の下方端から折り筋１２を介して形成するとともに両側下方隅部に四角状に切り欠かれた一対の係合受け部１５，１５を有する底板部８と、前記側板部の下方端から折り筋１３を介して形成するとともに外側上部隅部に四角状に切り欠かれた係合受け部１５を有する下底板部９とから構成している。なお、底板部８の係合受け部１５と下底板部９の係合受け部１５は同一形状をなし、組立てた状態では、図１２に示すように相重なる形状になっている。
【０００５】
さらに、端板部６の両面上端部には、板状の補強片１７がリベット１８でカシメ付けられるとともに、側板部７の両面外側端部および上端部には、板状の補強片１６がリベット１８でカシメ付けられている。また、端板部６と側板部７との境界に形成している折り筋１１に沿って回動する蝶番２０が、端板部と側板部とにベット１８でカシメ付けられている。
【０００６】
折り筋１２に沿った底板部８中央には、両側下方隅部に照明器具３の端部隅部が支持される一対の設置凹部２２，２２を形成した立方体状の中央受け部２５が接着材で貼り付けられている。また、折り筋１２に沿った底板部８の右隅部と左隅部には、内側下方隅部に設置凹部２２を有する立方体状の右受け部２６と左受け部２７とがそれぞれ接着材で貼り付けられている。
【０００７】
つぎに、梱包装置の組立て方法を説明する。
【０００８】
側板部７，７を折り筋１１，１１に沿って内側方向にそれぞれ立設するとともに、端板部６を折り筋１２に沿って手前方向に立設する。それから、下底板部９，９をそれぞれ折り筋１３，１３に沿って底板部８の下面に当接するように折曲げると、図１２に示すように、下底板部９，９の端面同士が突当った状態になる。最後に、下底板部９，９同士が突当たところをテープ２８でテープ止めすることにより梱包装置の組立は完成する。梱包装置は、上面および前面が開放した形状になつている。
【０００９】
図１３には、底板部８に貼り付けた受け部２５，２６，２７の設置凹部２２に照明器具３の端部隅部をそれぞれ載置し、２台の照明器具を並列に梱包装置で保持した状態を示している。
【００１０】
蝶番２０の両側外方には、図１２に示すように、上方に突出する突出片２１，２１がＬ字状に形成され、これら突出片２１，２１の内側は設置部２３となっている。梱包装置を上に積み重ねるときは、梱包装置の端部両側に設けられた設置部２３，２３に梱包装置の下方両隅部２９，２９を載置して、上へ積み重ねていく。また、梱包装置の側板部７の内側手前側にリベット止めされた補強片１６の上部は、側板部７の上端から突出して係合受け部１５に係合する係合凸部１９が形成され、梱包装置を上へ積み重ねていくときは、上に積み重ねられる梱包装置が、下側の梱包装置に対し、所定の位置に積み重ねられる位置決めの機能を有する。
【００１１】
【発明が解決しようとする課題】
上記のように従来の梱包装置は、納入現場から梱包装置を回収するとき、組立てられている梱包装置を開いて平板状にし、これを積み重ねて回収するが、梱包装置の底板部には、立方体状の受け部が貼り付けられている。このため、不安定な状態で積み重ねられて回収されるため、積み重ねられた梱包装置が崩れることがあるという問題があった。
【００１２】
また、梱包装置は、上面と前面が開放された状態で組み立てられるとともに下底板部同士をテープで貼り付けて組立てていることから、当該梱包装置を積み重ねていくと、側板部を開く方向に外力が作用する。このことから、下底板部同士を貼り付けているテープが剥がれることがあり、組立て強度上問題があった。
【００１３】
本発明は上記の点に鑑みてなされたもので、安定した状態で積み重ねて回収することができるとともに外力が作用しても丈夫な組立て強度を有する梱包装置を提供することを課題とする。
【００１４】
【課題を解決するための手段】
前記課題を達成するために、請求項１記載の本発明の梱包装置は、二個の被梱包物の両端部に取付けられ当該被梱包物を保持する梱包装置において、前記梱包装置は、中央に嵌合孔を有する底板部と当該底板部の両側から左右に連続してそれぞれ形成した側板部と天板部と端部に前記底板部に穿設した嵌合孔に嵌入する嵌合凸部および下方隅部に切り込み形成された切込み部を有する仕切板部とを備えた一枚のプラスチック段ボールからなる梱包装置主部の前記側板部と天板部と仕切板部とをそれぞれ折曲げて略コ字状に形成するとともに当該仕切板部同士を背中合せにし、前記背中合せにした仕切板部の嵌合凸部を前記底板部に穿設した嵌合孔に嵌入して四角筒体を幅方向左右に形成した梱包装置本体と、前記梱包装置主部に設けられた切込み部側の前記底板部端部から長手方向に一体に連続形成された外方板部、上板部、内方板部、および接合板部を有する受け部主部を、内側に四角形状に折曲げて前記接合板部が前記底板部に載置されるように前記切込み部に挿入するとともに、前記四角形状に折曲げられた前記受け部主部の内側上部隅部両側に前記被梱包物の下方端部を支える設置凹部をそれぞれ設けた受け部とからなることを特徴とするものである。
【００１７】
上記の請求項１記載の構成において、組立てたとき、梱包装置の形状は箱形状になるので、外力を受けても強度的に丈夫である。さらに、当該梱包装置を開いた状態では、板状になるので積み重ねてもバランスが崩れることはない。
【００１８】
更に、梱包装置主部と一体に受け部を設けたので、回収などの取扱いがより便利になる。
【００２０】
【発明の実施の形態】
以下、図１から図４を参照して本発明の第１の実施の形態に係る梱包装置を説明する。
【００２１】
第１の実施の形態に係る梱包装置は、図２および図３に示すように、当該梱包装置の外郭を形成する梱包装置本体４４と、被梱包物としての照明器具３の端部を支持する受け部５０とを一体形成したものから構成している。
【００２２】
図１は第１の実施の形態に係る梱包装置を展開した展開図を示すもので、当該梱包装置３０は、一枚のプラスチック段ボールからなり、当該プラスチック段ボールは、軟質プラスチック材からなる板状の材料で、段ボールと同様に折り筋を設け、この折り筋に沿って折曲げられる梱包材である。また、プラスチック段ボールは、紙材からなる段ボールより圧縮強度などが強く、強度を要する梱包装置に多く使用される。
【００２３】
上記梱包装置３０は、長尺状の梱包装置主部３９と、当該梱包装置主部の中央端部から突出して設けられた受け部主部４５とから構成している。
【００２４】
前記梱包装置主部３９は、中央に長手方向に矩形状をなす嵌合孔４１を有する幅方向に矩形状をなす底板部３１と、この底板部の両側から幅方向に渡り折り筋３６、折り筋３７、折り筋３８を介してそれぞれ形成された側板部３２と、前記底板部の２分の１幅からなる天板部３３と、前記側板部と同一幅からなる仕切板部３４とから構成している。
【００２５】
前記仕切板部３４には、当該仕切板部３４の端部から突出し前記底板部に穿設した嵌合孔４１に嵌入する矩形状の嵌合凸部４２と、上端部両隅部に四角形状に切り込み形成された切込み部４０，４０とがそれぞれ設けられている。
【００２６】
上記梱包装置主部３９の底板部３１上端から長手方向に渡り折り筋５１を介して矩形状をなす受け部主部４５が一体形成している。この受け部主部４５は、折り筋５２、折り筋５３、折り筋５４を介して外方板部４６と上板部４７と内方板部４８と接合板部４９とから構成している。
【００２７】
さらに、上板部４７と内方板部４８に渡り照明器具の端部を支持する矩形状孔からなる設置孔５５，５５が両側にそれぞれ穿設している。なお、外方板部と内方板部および上板部と接合板部とは、それぞれ略同一形状をなしている。
【００２８】
梱包装置の組立て方法を図２および図３を参照して説明する。
【００２９】
最初に、図２（Ａ）に示すように、側板部３２、天板部３３、仕切板部３４をそれぞれ折り筋３６、折り筋３７、折り筋３８を介して内側に向けて略コ字状に折曲げ形成するとともに、当該仕切板部３４，３４同士を背中合せにする。
【００３０】
それから、図２（Ｂ）に示すように、当該背中合せにした仕切板部３４，３４の嵌合凸部４２，４２を底板部に穿設した嵌合孔４１に嵌入し、幅方向両側に四角筒体４３，４３をそれぞれ形成した梱包装置本体４４を組立てる。この状態では、背中合せにした仕切板部３４，３４の受け部５０側下方隅部には、四角形状の切込み部４０が形成している。
【００３１】
つぎに、外方板部４６と上板部４７と内方板部４８と接合板部４９とを折り筋５１、折り筋５２、折り筋５３、折り筋５４を介して内側に略四角形状に折曲げて受け部５０を形成しつつ、当該受け部５０を四角形状に切込み形成した切込み部４０内に嵌め込む。
【００３２】
この状態では、図３に示すように、四角形状の受け部５０の上部内方隅部には、照明器具の端部を支持する設置凹部７２，７２がそれぞれ四角筒体４３，４３内に形成されている。図４はパレット６０上に照明器具３の両端に梱包装置３０，３０を装着し上方に積み重ねた状態を示すものである。
【００３３】
つぎに、第２の実施の形態に係る梱包装置について図５から図７を参照して説明する。この第２の実施の形態に係る梱包装置は、梱包装置を器具本体の両端に装着し、これらを積み重ねても、前後方向にずれるのを防止するものである。なお、第１の実施の形態に係る梱包装置と同一構成部品は同一番号を付して説明する。
【００３４】
図５は第２の実施の形態に係る梱包装置を展開した展開図を示すもので、当該梱包装置３０ａを展開した梱包装置主部３９ａは、第１の実施の形態と同一の構成からなる中央に嵌合孔４１を有する底板部３１と、この底板部の両側から幅方向に渡り、折り筋３６、折り筋３７、折り筋３８を介してそれぞれ形成された側板部３２と天板部３３と仕切板部３４とから構成しているとともに、前記仕切板部３４には、嵌合凸部４２と切込み部４０とがそれぞれ設けられている。さらに、前記梱包装置主部３９の底板部３１上端から長手方向に渡り折り筋５１を介して矩形状をなす受け部主部４５が一体形成している。
【００３５】
第１の実施の形態と同一の構成からなる梱包装置主部３９の側板部３２には、当該側板部３２の中央で折り筋３６に沿って第２の実施の形態に係る矩形状孔からなる係合孔部６２が穿設されている。さらに、天板部３３には、当該天板部３３の折り筋３７に沿うとともに前記係合孔部６２に沿って係入する係合突部６３が形成され、当該係合突部６３の下方には折り筋３７は形成されず、側板部３２に連続形成している。
【００３６】
図６は第１の実施の形態と同様にして組立てた第２の実施の形態に係る梱包装置３０ａを示す。この状態では、梱包装置本体４４ａの両側には、側板部３２から連続形成した係合突部６３，６３が上向きに対向してそれぞれ形成している。さらに、この係合突部６３が係入する係合孔部６２が、梱包装置本体４４ａの両側下方端に穿設されている。
【００３７】
図７はパレット６０上に梱包装置３０ａを両端にそれぞれ装着した照明器具３を上方に積み重ねた状態を示すもので、梱包装置３０ａの係合突部６３は、係合孔部６２に係入され前後方向にずれるのを防止している。
【００３８】
本発明の第１参考例に係る梱包装置について図８および図９を参照して説明する。なお、第１の実施の形態に係る梱包装置と同一構成部品は同一番号を付して説明する。なお、第１参考例に係る梱包装置６１は、当該梱包装置を構成する梱包装置本体４４と受け部７１とを別体に設けたものである。
【００３９】
前記梱包装置本体４４は、第１の実施の形態に係る梱包装置主部３９と同一構成からなっているとともに折り筋５１を介して底板部３１に隣接して略矩形状の蓋部６５が設けられている。この蓋部６５は、図９に示すように、筒状に組立てられた梱包装置本体４４の開口を覆う端面蓋板部６６と、折り筋６９を介して端面蓋板部６６に隣接し中央に設けた切欠き凹部６８を挟んで一対の接合板部６７，６７が設けられている。
【００４０】
第１参考例に係る梱包装置の組立て方法を説明する。
【００４１】
図９に示すように組立てられた梱包装置本体４４の切込み部４０に受け部７１を嵌め込んだのち、蓋部６５を折り筋５１に沿って上方に折曲げるとともに接合板部６７，６７を四角筒体４３の内側に差し込み、天板部とテープ止め（図示せず）する。なお、この梱包装置６１を照明器具に装着し、パレット上に積み上げた状態は図４と同様である。
【００４２】
本発明の第２参考例に係る梱包装置について図１０を参照して説明する。
【００４３】
第２参考例に係る梱包装置６１ａは、梱包装置本体４４ａの両側の下方に形成した係合孔部６２と、上方に向けて対向して立設した一対の係合突部６３，６３以外は、第１参考例に係る梱包装置６１と同一構成である。なお、この梱包装置６１を照明器具に装着し、パレット上に積み上げた状態は図７と同様で、梱包装置に設けられた係合孔部６２に係合突部６３が係入して、前後方向にずれるのを防止するものである。
【００４４】
なお、図９および図１０に示す受け部７１は、発泡スチロール材で一体成型したものでも、又、段ボール板材やプラスチック段ボールを使用して折曲げ製作したものであってもよい。
【００４５】
また、梱包装置の材料は、軟質プラスチック材からなるプラスチック段ボールを使用することで説明をしたが、紙材からなる段ボール材にプラスチックを含浸させたものであってもよい。また、段ボール材であってもよい。
【００４６】
次に上記両参考例の作用を説明する。
【００４７】
これら参考例の梱包装置は、嵌合孔を有する底板部と、この底板部の両側から左右に側板部と天板部と嵌合凸部および切込み部を有する仕切板とからなる一枚のプラスチック段ボールからなる梱包装置主部と、この梱包装置主部とは別に、照明器具の端部を支持する設置凹部を有する受け部とから構成している。
【００４８】
この梱包装置の組立ては、底板部の両側に一対の側板部を相対向して折曲げるとともに仕切板同士を背中合わせしつつ天板部を底板部に相対向するように折曲げつつ、仕切板の嵌合凸部を底板部の嵌合孔の嵌入することにより２つの四角筒体を構成する。この四角筒体に形成された切込み部に一対の設置凹部を有する略直方体状の受け部を嵌め込んで組立てを完成する。
【００４９】
組立てたとき、梱包装置の形状は箱形状になるので、外力を受けても強度的に丈夫である。さらに、梱包装置を開いた状態では、板状になるので積み重ねてもバランスが崩れることはなく、回収時などの取扱いがしやすい。
【００５０】
受け部は、別ピースになっているので、例えば、大きさの違う器具を梱包するときには、受け部を交換すれば対応できる。
【００５２】
更に、第２参考例の梱包装置は、梱包装置の両側板部の下端に、角形の係合孔部を設け、両側板部の上端に、上部に載せられる梱包装置の係合孔部に係合する係合突部を上向きに形成した。
【００５３】
このため、梱包装置を積み重ねいくときは、下の梱包装置の上端の係合突部に上の梱包装置の下端の係合孔部を係合して積み重ねることにより、前後方向のずれ止めになる。
【００５４】
【発明の効果】
以上詳記したように請求項１記載の本発明によれば、組立てたとき、梱包装置の形状は箱形状になるので、外力を受けても強度的に丈夫である。さらに、梱包装置を開いた状態では、板状になるので積み重ねてもバランスが崩れることはなく、回収時などの取扱いがしやすい。
【００５５】
更に、本発明によれば、梱包装置主部と一体に受け部を設けたので、回収などの取扱いがより便利になる。
【図面の簡単な説明】
【図１】  本発明の第１実施の形態に係る梱包装置を示す展開図。
【図２】  同実施の形態における梱包装置を組立てる手順を示すもので、（Ａ）は梱包装置主部を組立てている状態を示す斜視図。（Ｂ）は受け部を組立てている状態を示す斜視図。
【図３】  同実施の形態における梱包装置を組立て状態で示すもので、
（Ａ）は正面から見た斜視図。（Ｂ）は裏面から見た斜視図。
【図４】  同実施の形態における梱包装置を両端に組付けた器具本体をパレット上に積み重ねた状態を示す斜視図。
【図５】  本発明の第２実施の形態に係る梱包装置を示す展開図。
【図６】  同第２実施の形態に係る梱包装置を組立てた状態で示す斜視図。
【図７】  同第２実施の形態における梱包装置を両端に組付けた器具本体をパレット上に積み重ねた状態を示す斜視図。
【図８】  本発明の第１参考例に係る梱包装置を示す展開図。
【図９】  同第１参考例に係る梱包装置を組立てた状態を示す斜視図。
【図１０】  本発明の第２参考例に係る梱包装置を組立てた状態で示す斜視図。
【図１１】  従来技術に係る梱包装置を示す展開図。
【図１２】  従来技術に係る梱包装置を組立てた状態を示す斜視図。
【図１３】    従来技術に係る梱包装置の器具本体を組付けた状態を示す側面図。
【符号の説明】
３１…底板部，３２…側板部，３３…天板部，３４…仕切板部，３９…梱包装置主部，３９ａ…梱包装置主部，４０…仕切板部に設けた切込み部，４１…底板部に設けた嵌合孔，４２…仕切板部に設けた嵌合凸部，４３…四角筒体，４４…梱包装置本体，４５…受け部主部，４６…外方板部，４７…上板部，４８…内方板部，４９…接合板部，５０…受け部，７２…設置凹部。
【図１】
0003834941.tif 000002
【図２】
0003834941.tif 000003
【図３】
0003834941.tif 000004
【図４】
0003834941.tif 000005
【図５】
0003834941.tif 000006
【図６】
0003834941.tif 000007
【図７】
0003834941.tif 000008
【図８】
0003834941.tif 000009
【図９】
0003834941.tif 000010
【図１０】
0003834941.tif 000011
【図１１】
0003834941.tif 000012
【図１２】
0003834941.tif 000013
【図１３】
0003834941.tif 000014